(57)【要約】【課題】  優れた伸縮性を備え、着用が簡便であるとともに付け心地がよく、ふくらはぎに特化して適正な圧迫を与えることで、より効果的にむくみを防止する効果が得易い構成の経編包帯並びにその好適な使用方法を提供する。【解決手段】  経編包帯１は、経糸にて編目を作りながら伸縮性の挿入糸を経方向に編み込むとともに緯糸をコース方向に編み込んで形成された帯状の経編組織からなり、少なくとも挿入糸の伸長率が２００％以上５００％未満に設定されて、クロッシェ経編機にて幅寸法が５０ｍｍ以上１５０ｍｍ以下に編成され、ふくらはぎに巻いて使用する。【選択図】  図３
2015171423.tif 000002
【特許請求の範囲】
【請求項１】
経糸にて編目を作りながら伸縮性の挿入糸を経方向に編み込むとともに緯糸をコース方向に編み込んで形成された帯状の経編組織からなり、少なくとも挿入糸の伸長率が２００％以上５００％未満に設定されて、クロッシェ経編機にて幅寸法が５０ｍｍ以上１５０ｍｍ以下に編成され、ふくらはぎに巻いて使用することを特徴とする経編包帯。
【請求項２】
伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて幅寸法が５０ｍｍ以上１５０ｍｍ以下に編成され、ふくらはぎに巻いて使用することを特徴とする経編包帯。
【請求項３】
前記幅寸法が５０ｍｍ以上１００ｍｍ以下に設定されているとともに長さが１０００ｍｍ以上２５００ｍｍ以下に設定されているか、または、前記幅寸法が１００ｍｍ以上１５０ｍｍ以下に設定されているとともに長さが５００ｍｍ以上１５００ｍｍ以下に設定されていることを特徴とする請求項１または２記載の経編包帯。
【請求項４】
伸長に際しては、長手方向の伸長率が５０％のときのパワーをＮ１とし、長手方向の伸長率が１５０％のときのパワーをＮ３としたときに、Ｎ３がＮ１の４．０倍未満であり、かつ、収縮に際しては、長手方向の伸長率が１５０％のときのパワーをＮ６とし、長手方向の伸長率が５０％のときのパワーをＮ４としたときに、Ｎ６がＮ４の２．０倍以上であることを特徴とする請求項１から３のいずれか一項記載の経編包帯。
【請求項５】
前記挿入糸の番手が前記経糸の番手よりも大きいことを特徴とする請求項１から４のいずれか一項記載の経編包帯。
【請求項６】
前記非弾性糸がナイロンであり、前記弾性繊維がポリウレタンであることを特徴とする請求項２から４のいずれか一項記載の経編包帯。
【請求項７】
請求項１から６のいずれか一項記載の経編包帯を、少なくともその一部を重ねて、ふくらはぎに螺旋状に巻いて使用することを特徴とする経編包帯の使用方法。
【請求項８】
請求項１から６のいずれか一項記載の経編包帯を、ふくらはぎに螺旋状に巻いて使用することとし、筋肉のあるエリアは直前に周回した帯状の幅に対してその幅の一部が重なるように引っ張って巻き上げることを特徴とする経編包帯の使用方法。
【請求項９】
請求項１から６のいずれか一項記載の経編包帯を、ふくらはぎに螺旋状に巻いて使用することとし、少なくとも３周目以後５周目までは直前に周回した帯状の幅に対して１／３以上２／３以下の幅が重なるように螺旋状に巻き上げ、その際に帯状の長手方向に伸長率が５０％以上１５０％以下で引っ張って巻き上げることを特徴とする経編包帯の使用方法。
【請求項１０】
請求項１から６のいずれか一項記載の経編包帯を、ふくらはぎに螺旋状に巻いて使用することとし、少なくとも３周目以後５周目までは直前に周回した帯状の幅に対して約半分の幅が重なるように螺旋状に巻き上げ、その際に帯状の長手方向に約２倍に引き伸ばして巻き上げることを特徴とする経編包帯の使用方法。
【請求項１１】
前記経編包帯を、先端は足首から巻き始めてダブつきが出ない程度に少しだけ引っ張って周回させ、筋肉のあるエリアは螺旋状に引っ張って巻き上げ、巻き終わりはその引張り力を保ちながら膝下で巻いた帯の下に後端を挟み込んで留めることを特徴とする請求項７から１０のいずれか一項記載の経編包帯の使用方法。
【請求項１２】
前記経編包帯を、右の脚に対しては自分から見て右回りに巻き、左の脚に対しては自分から見て左回りに巻くことを特徴とする請求項７から１１のいずれか一項記載の経編包帯の使用方法。
【請求項１３】
前記経編包帯をふくらはぎに巻いた後、ミルキングアクションを行うことを特徴とする請求項７から１２のいずれか一項記載の経編包帯の使用方法。
【請求項１４】
前記経編包帯をふくらはぎに巻いた後、化粧水を含有させてから、ミルキングアクションを行うことを特徴とする請求項７から１２のいずれか一項記載の経編包帯の使用方法。
【請求項１５】
経糸にて編目を作りながら伸縮性の挿入糸を経方向に編み込むとともに緯糸をコース方向に編み込んで形成された帯状の経編組織からなり、少なくとも挿入糸はウーリー加工された非弾性糸を弾性繊維にカバーリングした糸であり、少なくとも挿入糸の伸長率が２００％以上５００％未満に設定されて、クロッシェ経編機にて編成され、幅寸法が５０ｍｍ以上１５０ｍｍ以下に設定されている経編包帯を、ふくらはぎに螺旋状に巻いて使用することとし、筋肉のあるエリアは直前に周回した帯状の幅に対してその幅の一部が重なるように引っ張って巻き上げることを特徴とする経編包帯の使用方法。
【請求項１６】
伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて編成され、幅寸法が５０ｍｍ以上１５０ｍｍ以下に設定されている経編包帯を、ふくらはぎに螺旋状に巻いて使用することとし、筋肉のあるエリアは直前に周回した帯状の幅に対してその幅の一部が重なるように引っ張って巻き上げることを特徴とする経編包帯の使用方法。
【請求項１７】
前記経編包帯は、前記幅寸法が５０ｍｍ以上１００ｍｍ以下に設定されているとともに長さが１０００ｍｍ以上２５００ｍｍ以下に設定されているか、または、前記幅寸法が１００ｍｍ以上１５０ｍｍ以下に設定されているとともに長さが５００ｍｍ以上１５００ｍｍ以下に設定されていることを特徴とする請求項１５または１６記載の経編包帯の使用方法。
【請求項１８】
前記経編包帯は、伸長に際しては、長手方向の伸長率が５０％のときのパワーをＮ１とし、長手方向の伸長率が１５０％のときのパワーをＮ３としたときに、Ｎ３がＮ１の４．０倍未満であり、かつ、収縮に際しては、長手方向の伸長率が１５０％のときのパワーをＮ６とし、長手方向の伸長率が５０％のときのパワーをＮ４としたときに、Ｎ６がＮ４の２．０倍以上であることを特徴とする請求項１５から１７のいずれか一項記載の経編包帯の使用方法。
【請求項１９】
前記経編包帯は、前記挿入糸の番手が前記経糸の番手よりも大きいことを特徴とする請求項１５から１８のいずれか一項記載の経編包帯の使用方法。
【請求項２０】
前記経編包帯は、前記非弾性糸がナイロンであり、前記弾性繊維がポリウレタンであることを特徴とする請求項１５から１９のいずれか一項記載の経編包帯の使用方法。
【請求項２１】
前記経編包帯を、ふくらはぎに螺旋状に巻いて使用することとし、少なくとも３周目以後５周目までは直前に周回した帯状の幅に対して１／３以上２／３以下の幅が重なるように螺旋状に巻き上げ、その際に帯状の長手方向に伸長率が５０％以上１５０％以下で引っ張って巻き上げることを特徴とする請求項１５から２０のいずれか一項記載の経編包帯の使用方法。
【請求項２２】
前記経編包帯を、ふくらはぎに螺旋状に巻いて使用することとし、少なくとも３周目以後５周目までは直前に周回した帯状の幅に対して約半分の幅が重なるように螺旋状に巻き上げ、その際に帯状の長手方向に約２倍に引き伸ばして巻き上げることを特徴とする請求項１５から２０のいずれか一項記載の経編包帯の使用方法。
【請求項２３】
前記経編包帯を、先端は足首から巻き始めてダブつきが出ない程度に少しだけ引っ張って周回させ、筋肉のあるエリアは螺旋状に引っ張って巻き上げ、巻き終わりはその引張り力を保ちながら膝下で巻いた帯の下に後端を挟み込んで留めることを特徴とする請求項１５から２２のいずれか一項記載の経編包帯の使用方法。
【請求項２４】
前記経編包帯を、右の脚に対しては自分から見て右回りに巻き、左の脚に対しては自分から見て左回りに巻くことを特徴とする請求項１５から２３のいずれか一項記載の経編包帯の使用方法。
【請求項２５】
前記経編包帯をふくらはぎに巻いた後、ミルキングアクションを行うことを特徴とする請求項１５から２４のいずれか一項記載の経編包帯の使用方法。
【請求項２６】
前記経編包帯をふくらはぎに巻いた後、化粧水を含有させてから、ミルキングアクションを行うことを特徴とする請求項１５から２４のいずれか一項記載の経編包帯の使用方法。
【請求項２７】
経糸にて編目を作りながら伸縮性の挿入糸を経方向に編み込むとともに緯糸をコース方向に編み込んで形成された帯状の経編組織からなり、少なくとも挿入糸はウーリー加工された非弾性糸を弾性繊維にカバーリングした糸であり、少なくとも挿入糸の伸長率が２００％以上５００％未満に設定されて、クロッシェ経編機にて編成され、幅寸法が５０ｍｍ以上１００ｍｍ以下に設定されているとともに長さが１０００ｍｍ以上２５００ｍｍ以下に設定されているか、または、幅寸法が１００ｍｍ以上１５０ｍｍ以下に設定されているとともに長さが５００ｍｍ以上１５００ｍｍ以下に設定されており、少なくともその一部を重ねて、ふくらはぎに螺旋状に巻いて使用することを特徴とする経編包帯。
【請求項２８】
伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて編成され、幅寸法が５０ｍｍ以上１００ｍｍ以下に設定されているとともに長さが１０００ｍｍ以上２５００ｍｍ以下に設定されているか、または、幅寸法が１００ｍｍ以上１５０ｍｍ以下に設定されているとともに長さが５００ｍｍ以上１５００ｍｍ以下に設定されており、少なくともその一部を重ねて、ふくらはぎに螺旋状に巻いて使用することを特徴とする経編包帯。
【請求項２９】
伸長に際しては、長手方向の伸長率が５０％のときのパワーをＮ１とし、長手方向の伸長率が１５０％のときのパワーをＮ３としたときに、Ｎ３がＮ１の４．０倍未満であり、かつ、収縮に際しては、長手方向の伸長率が１５０％のときのパワーをＮ６とし、長手方向の伸長率が５０％のときのパワーをＮ４としたときに、Ｎ６がＮ４の２．０倍以上であることを特徴とする請求項２７または２８記載の経編包帯。
【請求項３０】
前記非弾性糸がナイロンであり、前記弾性繊維がポリウレタンであることを特徴とする請求項２７から２９のいずれか一項記載の経編包帯。
【請求項３１】
前記挿入糸の番手が前記経糸の番手よりも大きいことを特徴とする請求項２７から３０のいずれか一項記載の経編包帯。
【発明の詳細な説明】
【技術分野】
【０００１】
本発明は、経編包帯及びその使用方法に関する。
【背景技術】
【０００２】
包帯（バンデージ）は、身体患部等の所定箇所に巻き付ける帯状の布帛である。旧来、包帯は綿の紡績糸が主に用いられている。綿の特徴としては、吸湿性がよいこと、肌触りがよいことなどが挙げられる。しかし、綿の紡績糸は、非伸縮性であることから一度巻いた包帯が緩み易いという難点があった。そこで、緩み防止のために、綿の紡績糸を製造する工程で芯部にスパンデックス繊維を挿入した伸縮性コア・スパンデックス糸が開発され、伸縮性の包帯として市販されるようになった。
経編生地は、長手方向の伸縮性に富んでいるとともに、吸湿性と通気性に優れていることから、包帯生地として好ましい。
【０００３】
一方、下腿における、むくみを防止するものとして、着圧ストッキング（着圧タイツ）が知られている。市販の着圧ストッキングは、シームレス編成編機やトリコット編機などによって編成される。着圧ストッキングは、スパンデックス糸が混入されたサポートストッキングの一種であり、伸縮性が乏しい生地を最大限伸ばして着用するため、着用の際には圧迫感がある。そして、生地を最大限伸ばして着用するため生地に無理がかかり、すぐにへたって緩くなるなどの問題点がある。
【０００４】
ここで、脚とは、上腿、膝、下腿、足までの範囲を指している。下腿とは、膝よりも下であり、足よりも上の部分を指しており、筋肉としてのふくらはぎがある。本願明細書では、筋肉であるか否かによらず、外観上、膝よりも下であり、足よりも上の部分を、ふくらはぎとして説明する。
【０００５】
特許文献１は、伸縮性包帯に関し、ラッセル編機を用いた経編で鎖編みとするとの記述がある。特許文献１には、従来技術として、スパンデックス繊維をナイロンフィラメントまたはポリエステルフィラメントで被覆した伸縮性カバーリング糸や、綿の紡績糸を製造する工程で芯部にスパンデックス繊維を挿入した伸縮性コア・スパンデックス糸が用いられている、との記述がある（その段落０００３）。
【０００６】
特許文献２は、伸縮性包帯に関し、非弾性糸の弾性糸に対する比率が１：１〜１２：１であり、２０〜６０％の伸張度で２．７〜９．３ｋＰａ（２０〜７０ｍｍＨｇ）の有効圧縮力を示しさらに１００％伸張時の応力が６０％伸長時の応力より大きくかつ両応力の差が０．５ＭＰａ以下である弾性包帯が記載されている（その請求項１）。特許文献２には、ラッセル編機を用いた経編で鎖編みとするとの記述がある。
【０００７】
特許文献３は、経編生地に関し、伸縮性の経糸にて編目を作りながら伸縮性の挿入糸を経方向に編み込むとともに緯糸をコース方向に編み込んで形成された帯状の経編組織を有し、経糸と挿入糸がポリウレタン、ラテックス、エラストマー、天然ゴムのいずれかないしはいずれか２種以上を用いた弾性糸からなり、経糸と挿入糸の伸長率が２００％以上５００％未満に設定されてクロッシェ経編機にて編成され、長手方向の伸び率が５０％のときのパワーをＮ１とし、長手方向の伸び率が１５０％のときのパワーをＮ２としたときに、Ｎ２がＮ１の３倍未満であることを特徴とする経編生地、が記載されている（その請求項６）。
【０００８】
特許文献４は、経編生地に関し、非伸縮性の経糸にて編目を作りながら伸縮性の挿入糸を経方向に編み込むとともに緯糸をコース方向に編み込んで形成された帯状の経編組織を有し、前記経糸が、レーヨン、ポリエステル、ナイロン、アクリル、天然繊維のいずれか１種ないしはいずれか２種以上を用いた非弾性糸からなるとともに、前記挿入糸がポリウレタンを用いた弾性糸からなり、前記挿入糸の伸長率が２００％以上５００％未満に設定されてクロッシェ経編機にて編成され、長手方向の伸び率が５０％のときのパワーをＮ１とし、長手方向の伸び率が１００％のときのパワーをＮ２としたときに、Ｎ２がＮ１の２倍未満であるとともに、長手方向の伸び率が１５０％のときのパワーをＮ３としたときに、Ｎ３がＮ１の３倍未満であることを特徴とする経編生地、が記載されている（その請求項１）。
【先行技術文献】
【特許文献】
【０００９】
【特許文献１】特開２００５−０８０９６０号公報
【特許文献２】特許第３０２５００７号公報
【特許文献３】特許第５０３８５２５号公報
【特許文献４】特許第５３４０４６４号公報
【発明の開示】
【発明が解決しようとする課題】
【００１０】
人間は、立ったままや座ったままの姿勢が長く続くと、足の筋ポンプの機能が低下し、そのために血液が心臓に向かって流れる血流が停滞する。また、血液自体の重量が静脈内にかかるため、静脈圧が上昇し、静脈が拡張した状態となり、静脈の拡張により、静脈内の血液が下肢に溜まりやすくなる。下肢で静脈還流が滞ると、下肢静脈内の圧力が上昇するため、血管内から血管外へ血液の血漿成分（水分）がしみ出て、細胞外に水分が貯留し、これが、下肢に浮腫（むくみ）が起こる原因となる。
【００１１】
上述のように、下腿における、むくみを防止するものとして、着圧ストッキングが市販されているが、これら着圧ストッキングは、伸縮性が乏しい生地を最大限伸ばして着用するため、着用の際には圧迫感があり、そして、すぐに生地がへたって緩くなるという問題点がある。また、着圧ストッキングの着用範囲は上腿、膝、下腿、足首、足までの範囲をカバーするものが大半である。つまり、外観上、膝よりも下であり、足首よりも上の部分、すなわち本願におけるふくらはぎを効果的にケアするには不十分な点があった。
【００１２】
特許文献１〜４記載の経編生地及び伸縮性包帯は、身体の圧迫は考慮されているが、ふくらはぎのむくみを防止するとの着想には至らなかった。
【００１３】
そこで、本願発明者は、ふくらはぎに特化して適正な圧迫を与えることで、より効果的にむくみを防止することを目的とした、コンプレッション機能を有するストレッチバンデージとしての経編包帯が実用化できないか鋭意検討している。より具体的には、経編み生地の弾性包帯をふくらはぎに巻いた後、つま先の上下動で筋肉運動をすると、収縮期血圧と拡張期血圧が共に上昇し、特に、拡張期血圧の上昇が見られ、脈圧（「収縮期血圧」−「拡張期血圧」）の数値が低い状態となることが確認された。これは、末梢での血流が増進していることを示しており、脚のむくみを防止する効果があると認められる。
【００１４】
上述の課題に鑑みて、本発明の目的は、優れた伸縮性を備え、着用が簡便であるとともに付け心地がよく、ふくらはぎに特化して適正な圧迫を与えることで、より効果的にむくみを防止する効果が得易い構成の経編包帯並びにその好適な使用方法を提供することにある。
【課題を解決するための手段】
【００１５】
本発明の経編包帯は、経糸にて編目を作りながら伸縮性の挿入糸を経方向に編み込むとともに緯糸をコース方向に編み込んで形成された帯状の経編組織からなり、少なくとも挿入糸の伸長率が２００％以上５００％未満に設定されて、クロッシェ経編機にて幅寸法が５０ｍｍ以上１５０ｍｍ以下に編成され、ふくらはぎに巻いて使用することを特徴とする。
【００１６】
本発明によれば、クロッシェ経編機を用いることで、ラッセル機やトリコット機に比べて挿入糸に高い張力をかけることが容易となるうえ、生地の両端には耳部が形成された形状で幅寸法が５０ｍｍ以上１５０ｍｍ以下に編成され、ふくらはぎに巻いて使用するのに適したサイズとなる。
【００１７】
前記経糸は、伸縮性の経糸とする場合と、非伸縮性の経糸とする場合がある。伸縮性の経糸とする場合には、経糸と挿入糸の伸長率が２００％以上５００％未満に設定されてクロッシェ経編機にて編成される。伸縮性の経糸とする場合は非伸縮性の経糸とする場合と比較して、より優れた伸縮性を備えることとなる。非伸縮性の経糸とする場合は伸縮性の経糸とする場合と比較して、より丈夫な生地となる。
【００１８】
本発明の経編包帯は、伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて幅寸法が５０ｍｍ以上１５０ｍｍ以下に編成され、ふくらはぎに巻いて使用することを特徴とする。
【００１９】
本発明によれば、弾性繊維によって優れた伸縮性を有するとともに、ウーリー加工が施されている糸を用いることで付け心地がよく、保水性に優れているため肌のトリートメントのための化粧水などを必要量含有させることが容易となる。
【００２０】
本発明は、前記幅寸法が５０ｍｍ以上１００ｍｍ以下に設定されているとともに長さが１０００ｍｍ以上２５００ｍｍ以下に設定されているか、または、前記幅寸法が１００ｍｍ以上１５０ｍｍ以下に設定されているとともに長さが５００ｍｍ以上１５００ｍｍ以下に設定されていることを特徴とする。
【００２１】
本発明によれば、成人が前記経編包帯を適度に引っ張ってふくらはぎに巻くと、丁度よいサイズとなるため、巻き余りや巻き不足が生じ難く、着用が簡便である。
【００２２】
本発明は、伸長に際しては、長手方向の伸長率が５０％のときのパワーをＮ１とし、長手方向の伸長率が１５０％のときのパワーをＮ３としたときに、Ｎ３がＮ１の４．０倍未満であり、かつ、収縮に際しては、長手方向の伸長率が１５０％のときのパワーをＮ６とし、長手方向の伸長率が５０％のときのパワーをＮ４としたときに、Ｎ６がＮ４の２．０倍以上であることを特徴とする。
【００２３】
本発明によれば、大きな伸び率を得るためのパワーが小さくて済むうえ、ゴム紐やゴム生地のような優れたキックバック効果が得られるので、ふくらはぎに巻き易く、かつ、ふくらはぎに巻いたときに優れた圧迫効果が得られる。
【００２４】
前記非弾性糸としては、ナイロン、ポリエステル、レーヨン、アクリルなどの合成繊維や、綿、リンネルなどの天然繊維が挙げられる。
【００２５】
前記弾性繊維としては、ポリウレタン、ラテックス、エラストマー、天然ゴムが挙げられる。
【００２６】
本発明は、前記非弾性糸がナイロンであり、前記弾性繊維がポリウレタンであることを特徴とする。
【００２７】
本発明によれば、前記非弾性糸がナイロンであることで、吸水性と耐薬品性に優れた糸となる。また、前記弾性繊維がポリウレタンであることで、身体との馴染みがよく、アレルギー反応が生じ難い。前記ポリウレタンとしては親水性ポリウレタンが好ましい。親水性の材料を用いることで保水性がより高まるからである。
【００２８】
本発明は、前記挿入糸の番手が前記経糸の番手よりも大きいことを特徴とする。
【００２９】
本発明によれば、ウーリー加工された非弾性糸が弾性繊維にカバーリングされた糸において、挿入糸の番手を経糸の番手よりも大きくすることで、ウーリー加工された非弾性糸の割合をより一層高めることとなり、その結果、保水性を最大限まで高めた構成となる。
【００３０】
本発明は、前記経編組織を形成した後、浸水、蒸気加熱、洗浄、乾燥を行い、その後、前記編組織の長手方向を所定間隔で押さえながら加熱して熱収縮させることが好ましい。本発明によれば、従来よりも伸び率が大きくて、かつ、大きな伸び率を得るためのパワーが小さくて済む経編生地を形成することが容易に出来る。
【００３１】
本発明の経編包帯の使用方法は、前記経編包帯を、少なくともその一部を重ねて、ふくらはぎに螺旋状に巻いて使用することを特徴とする。
【００３２】
本発明によれば、伸縮性に優れた生地を適度に伸ばして着用するため、着用し易く、ふくらはぎに特化して適正な圧迫を与えることで、より効果的にむくみを防止する効果が得易い。
【００３３】
本発明は、ふくらはぎの筋肉のあるエリアは前記経編包帯を巻き上げることが好ましい。ふくらはぎから心臓に向けて血液が環流する静脈還流効果をより高めることとなるからである。
【００３４】
本発明の経編包帯の使用方法は、前記経編包帯を、ふくらはぎに螺旋状に巻いて使用し、筋肉のあるエリアは直前に周回した帯状の幅に対してその幅の一部が重なるように引っ張って巻き上げることを特徴とする。
【００３５】
本発明によれば、前記帯状の幅に対してその幅の一部が重なるように引っ張って巻き上げることで、巻くときの引っ張り力が少なくて済むとともに、重なり度合いと重なりの回数に応じて必要な圧迫力を与えることが容易となる。
【００３６】
本発明の経編包帯の使用方法は、前記経編包帯を、ふくらはぎに螺旋状に巻いて使用し、少なくとも３周目以後５周目までは直前に周回した帯状の幅に対して１／３以上２／３以下の幅が重なるように螺旋状に巻き上げ、その際に帯状の長手方向に伸長率が５０％以上１５０％以下で引っ張って巻き上げることを特徴とする。
【００３７】
本発明によれば、設定条件の巻き方をすることによって、より効果的に必要な圧迫力を与えることとなり、窮屈感なく動き易いうえ、圧迫効果が長時間に亘って持続することとなる。
【００３８】
本発明の経編包帯の使用方法は、前記経編包帯を、ふくらはぎに螺旋状に巻いて使用し、少なくとも３周目以後５周目までは直前に周回した帯状の幅に対して約半分の幅が重なるように螺旋状に巻き上げ、その際に帯状の長手方向に約２倍に引き伸ばして巻き上げることを特徴とする。
【００３９】
本発明によれば、最良条件の巻き方をすることによって、最も効果的に必要な圧迫力を与えることとなり、窮屈感なく動き易いうえ、圧迫効果が長時間に亘って持続することとなる。
【００４０】
本発明は、前記経編包帯を、先端は足首から巻き始めてダブつきが出ない程度に少しだけ引っ張って周回させ、筋肉のあるエリアは螺旋状に引っ張って巻き上げ、巻き終わりはその引張り力を保ちながら膝下で巻いた帯の下に後端を挟み込んで留めることを特徴とする。
【００４１】
本発明によれば、前記経編包帯のみで、ふくらはぎへの着用が簡便であるとともに付け心地がよく、取付け金具等は不要である。例えば、前記経編包帯を取付けた状態で入浴することができ、プールに入ることもできる。
【００４２】
本発明は、前記経編包帯を、右の脚に対しては自分から見て右回りに巻き、左の脚に対しては自分から見て左回りに巻くことを特徴とする。
【００４３】
本発明によれば、血液の循環経路に沿って前記包帯をふくらはぎに巻き上げることとなり、ふくらはぎから心臓に向けて血液が環流する静脈還流効果をより高めることとなる。
【００４４】
本発明は、前記経編包帯をふくらはぎに巻いた後、ミルキングアクションを行うことを特徴とする。
【００４５】
本発明によれば、ふくらはぎから心臓に向けて血液が環流する静脈還流をより積極的に行うことで、美脚効果が期待できる。
【００４６】
本発明は、前記経編包帯をふくらはぎに巻いた後、化粧水を含有させてから、ミルキングアクションを行うことを特徴とする。
【００４７】
本発明によれば、ふくらはぎから心臓に向けて血液が環流する静脈還流をより積極的に行うとともに、化粧水の有効成分が身体に摂取されることで、美脚効果とともにリラクゼーション効果が期待できる。
【００４８】
本発明は、ミルキングアクションを行った後、リンパマッサージを行うことが好ましい。
【００４９】
本発明によれば、リンパ液の流れを活性化して人の身体にとって不必要な異物や老廃物を集め、排出するマッサージテクニックとしてのリンパマッサージ（リンパドレナージュ）を行うことで、血流改善によって身体が温まり、美脚効果とともに、より一層のリラクゼーション効果が期待できる。
【００５０】
本発明の経編包帯の使用方法は、経糸にて編目を作りながら伸縮性の挿入糸を経方向に編み込むとともに緯糸をコース方向に編み込んで形成された帯状の経編組織からなり、少なくとも挿入糸はウーリー加工された非弾性糸を弾性繊維にカバーリングした糸であり、少なくとも挿入糸の伸長率が２００％以上５００％未満に設定されて、クロッシェ経編機にて編成され、幅寸法が５０ｍｍ以上１５０ｍｍ以下に設定されている経編包帯を、ふくらはぎに螺旋状に巻いて使用することとし、筋肉のあるエリアは直前に周回した帯状の幅に対してその幅の一部が重なるように引っ張って巻き上げることを特徴とする。
【００５１】
本発明によれば、弾性繊維によって優れた伸縮性を有するとともに、ウーリー加工が施されている糸を用いることで付け心地がよく、保水性に優れているため肌のトリートメントのための化粧水などを必要量含有させることが容易となるうえ、着用が簡便である。
【００５２】
本発明の経編包帯の使用方法は、伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて編成され、幅寸法が５０ｍｍ以上１５０ｍｍ以下に設定されている経編包帯を、ふくらはぎに螺旋状に巻いて使用することとし、筋肉のあるエリアは直前に周回した帯状の幅に対してその幅の一部が重なるように引っ張って巻き上げることを特徴とする。
【００５３】
本発明によれば、弾性繊維によって優れた伸縮性を有するとともに、ウーリー加工が施されている糸を用いることで付け心地がよく、保水性に優れているため肌のトリートメントのための化粧水などを必要量含有させることが容易となるうえ、着用が簡便である。尚且つ、前記帯状の幅に対してその幅の一部が重なるように引っ張って巻き上げることで、巻くときの引っ張り力が少なくて済むとともに、重なり度合いと重なりの回数に応じて必要な圧迫力を与えることが容易となる。
【００５４】
本発明の経編包帯は、経糸にて編目を作りながら伸縮性の挿入糸を経方向に編み込むとともに緯糸をコース方向に編み込んで形成された帯状の経編組織からなり、少なくとも挿入糸はウーリー加工された非弾性糸を弾性繊維にカバーリングした糸であり、少なくとも挿入糸の伸長率が２００％以上５００％未満に設定されて、クロッシェ経編機にて編成され、幅寸法が５０ｍｍ以上１００ｍｍ以下に設定されているとともに長さが１０００ｍｍ以上２５００ｍｍ以下に設定されているか、または、幅寸法が１００ｍｍ以上１５０ｍｍ以下に設定されているとともに長さが５００ｍｍ以上１５００ｍｍ以下に設定されており、少なくともその一部を重ねて、ふくらはぎに螺旋状に巻いて使用することを特徴とする。
【００５５】
本発明によれば、優れた伸縮性を有するとともに、ウーリー加工が施されている糸を用いることで付け心地がよく、保水性に優れているため肌のトリートメントのための化粧水などを必要量含有させることが容易となる。尚且つ、成人が前記経編包帯を適度に引っ張ってふくらはぎに巻くと、丁度よいサイズとなるため、巻き余りや巻き不足が生じ難く、着用が簡便である。
【００５６】
本発明の経編包帯は、伸縮性の経糸にて編目を作りながら伸縮性の挿入糸を経方向に編み込むとともに緯糸をコース方向に編み込んで形成された帯状の経編組織からなり、前記経糸はウーリー加工された非弾性糸を弾性繊維にカバーリングした糸であり、前記挿入糸はウーリー加工された非弾性糸を弾性繊維にカバーリングした糸であり、かつ、前記緯糸はウーリー加工された非弾性糸であり、経糸と挿入糸の伸長率が２００％以上５００％未満に設定されて、クロッシェ経編機にて編成され、幅寸法が５０ｍｍ以上１００ｍｍ以下に設定されているとともに長さが１０００ｍｍ以上２５００ｍｍ以下に設定されているか、または、幅寸法が１００ｍｍ以上１５０ｍｍ以下に設定されているとともに長さが５００ｍｍ以上１５００ｍｍ以下に設定されており、少なくともその一部を重ねて、ふくらはぎに螺旋状に巻いて使用することを特徴とする経編包帯。
【００５７】
本発明によれば、弾性繊維によって優れた伸縮性を有するとともに、ウーリー加工が施されている糸を用いることで付け心地がよく、保水性に優れているため肌のトリートメントのための化粧水などを必要量含有させることが容易となる。尚且つ、成人が前記経編包帯を適度に引っ張ってふくらはぎに巻くと、丁度よいサイズとなるため、巻き余りや巻き不足が生じ難く、着用が簡便である。
【発明の効果】
【００５８】
本発明の経編包帯によれば、経糸及び挿入糸は弾性繊維によって優れた伸縮性を有する。尚且つ、経糸、挿入糸及び緯糸にはウーリー加工が施されているので優れた保水性を有する。そして、前記経編機としてクロッシェ経編機を用いることで、ラッセル機やトリコット機に比べて挿入糸に高い張力をかけることが容易となるうえ、生地の両端が耳部が形成された形状で製編される。よって、取り扱いが容易である。本発明によれば、優れた伸縮性を備え、着用が簡便であるとともに付け心地がよく、ふくらはぎに特化して適正な圧迫を与えることで、より効果的にむくみを防止する効果が得易い構成の経編包帯となる。
【００５９】
本発明の経編包帯の使用方法によれば、優れた伸縮性と保水性を備えた前記経編包帯を、ふくらはぎに巻き上げることで必要な圧迫力を与えることができ、窮屈感なく動き易いうえ、圧迫効果が長時間に亘って持続することとなる。本発明によれば、ふくらはぎから心臓に向けて血液が環流する静脈還流をより積極的に行うとともに、化粧水の有効成分が身体に摂取されることで、美脚効果とともにリラクゼーション効果が期待できる。
【図面の簡単な説明】
【００６０】
【図１】本発明の経編包帯の編組織を例示する組織図である。
【図２】本発明の経編包帯を巻いた状態を示す図である。
【図３】本発明の経編包帯の使用態様を示す図である。
【図４】本発明の経編包帯の伸長率とパワーの関係を示すグラフ図である。
【図５】本発明の経編包帯を重ねたときの伸長率とパワーの関係を示すグラフ図である。
【図６】本発明の経編包帯をふくらはぎに巻くときの手順を示す図である。
【図７】本発明の経編包帯をふくらはぎに巻いて、ミルキングアクションを行ったときの効果をサーモグラフで示す図であり、図７（ａ）は通常状態であり、図７（ｂ）はミルキングアクションのみを行った比較例であり、図７（ｃ）は本発明の経編包帯１を巻いてミルキングアクションを行った実施例である。
【図８】本発明の経編包帯をふくらはぎに巻いて、ミルキングアクションを行ったときの効果を写真で示す図であり、図８（ａ）は通常状態であり、図８（ｂ）はミルキングアクションのみを行った比較例であり、図８（ｃ）は本発明の経編包帯１を巻いてミルキングアクションを行った実施例である。
【発明を実施するための形態】
【００６１】
以下、本発明を実施するための形態を図面を引用しながら説明する。
【００６２】
（本発明の実施の形態）
図１は本発明の経編包帯の編組織を例示する組織図である。本実施形態の経編包帯１は帯状であり、その長手方向には高い伸縮性を示し、その幅方向にはその長手方向における伸縮性の１／１０以下の低い伸縮性を示す。符号２は編目を形成した伸縮性の経糸であり、符号３は経方向に編み込まれた伸縮性の挿入糸であり、符号４はコース方向に編み込まれた緯糸であり、これらの糸によって帯状の経編組織が形成されている。
【００６３】
本実施形態では、経糸２はウーリー加工された非弾性糸を弾性繊維にカバーリングした糸であり、挿入糸３はウーリー加工された非弾性糸を弾性繊維にカバーリングした糸であり、かつ、緯糸４はウーリー加工された非弾性糸である。より具体的には、前記非弾性糸がナイロンであり、前記弾性繊維がポリウレタンである。そして、経糸２と挿入糸３の伸長率が２００％以上５００％未満に設定されてクロッシェ経編機にて編成されている。これによって、長手方向への伸縮が一様となり、ほつれ難くストレッチ性の高い経編包帯１となっている。
【００６４】
本実施形態では、挿入糸３の番手が経糸２の番手よりも大きくなっている。これは、ウーリー加工された非弾性糸の割合をより一層高めることで、保水性を最大限まで高めた構成とするためである。
【００６５】
図２は、本実施形態の経編包帯１を巻いた状態を示す図である。本実施形態では生地がしっかりしているので既知の包帯よりも巻き易くなっている。
【００６６】
本実施形態の経編包帯１の製造手順は、製経、製編、浸水と蒸気加熱、洗浄と乾燥、加熱、巻き取りの各工程からなる。前記製経は、製編の準備工程であり、経糸２と挿入糸３のそれぞれについて、芯糸の弾性糸を伸長した状態で側糸を巻き付ける。カバーリングする際の伸長率設定の目安は、経糸２が３５０％〜４５０％であり、挿入糸が４００％〜６００％である。使用する経糸２の番手（太さ）の目安は、芯糸が２０〜４０デニールであり、側糸が３０〜１００デニールである。また、使用する挿入糸３の番手（太さ）の目安は、芯糸が１４０〜１６８０デニールであり、側糸が３０〜３００デニールである。なお、カバーリングした糸を購入する場合もある。次に、上記糸の供給量のばらつきを軽減するため、複数本揃えてビームに巻き取るビーム製経を行なう。
【００６７】
本実施形態では、経糸２と挿入糸３の伸長率がそれぞれ２００％以上５００％未満に設定されてクロッシェ経編機にて編成されている。クロッシェ経編機を用いることで、弾性糸である経糸２と挿入糸３の両方の糸に高い張力をかけることが容易となるからである。本実施形態では、経糸２と挿入糸３の伸長率をそれぞれ大きくしながら経編機に送り出すため、経糸２と挿入糸３の経路に、積極的送り手段をそれぞれ配置し、これら積極的送り手段によって経糸２と挿入糸３の送り量をそれぞれ一定に保ちながら経編機に送り出す構成となっている。尚且つ、挿入糸３の伸長率が経糸２の伸長率よりも大きく設定されている。
【００６８】
前記製編工程で製編された経編生地は、水タンクにて浸水され、スチーミングボックスにて高温蒸気で蒸して生地を熱収縮させる。水タンク内の水温は１０〜３０℃の常温である。スチーミングボックス内の高温蒸気の温度は１０４〜１０６℃である。ここで、水タンク内の水を染色液とすれば、上記と同じ工程にて、染色された経編生地とすることができる。本実施形態によれば、カラー包帯とすることが容易である。経編包帯１の色は、白色、自然色、ローズピンク、チャコール、ヌードベージュー、その他任意のカラーとすることができる。
【００６９】
前記浸水と蒸気加熱で蒸気加熱された経編生地は、複数のソーピングタンクにて洗浄液に浸漬されて、乾燥ドラムにて乾燥される。前記ソーピングは、経編生地を構成する糸に付着している油分や汚れを既知の洗浄液で洗浄する工程であり、それら洗浄液の温度は４０〜６０℃である。そして、洗浄された経編生地は、乾燥温度が１００〜１２０℃の温度で乾燥ドラムによって乾燥される。
【００７０】
前記洗浄と乾燥工程で洗浄され乾燥された経編生地は、タンブラーボックスにて加熱収縮され、自然冷却又は送風ファン等で強制冷却されて経編生地となる。前記タンブラーボックスは、トンネル形状で、加熱ヒータが備わったベルトコンベヤが配されている。前記タンブラーボックスの入口側には送り出し側ローラが配置されており、タンブラーボックスの出口側には巻き取り側ローラが配置されている。経編生地は、送り出し側ローラと巻き取り側ローラとで張力がほぼゼロの状態で狭持されてベルトコンベヤで加熱されながら送り出される。つまり、経編生地は、ある程度緩んだ状態を維持しつつ加熱収縮される。前記ベルトコンベヤによる加熱温度は１９０〜１９５℃であり、加熱時間は６０〜９０秒である。
【００７１】
（実施例）
本実施形態の経編包帯１の実施例を以下に説明する。経糸２と挿入糸３として、ウーリー加工されたナイロン糸をポリウレタン繊維にカバーリングした糸を用いた。また、緯糸４として、ウーリー加工されたナイロン糸を用いた。そして、クロッシェ編機にて製編し、経編包帯１を作製した。
【００７２】
そして、伸長時と収縮時のパワー試験を行なった。パワー試験は、一般財団法人日本繊維製品品質技術センターにて行い、試験方法は、定速伸長引張試験機を使用して、つかみ間隔１０ｃｍで全幅について、引張速度が３０ｃｍ／分とした。結果を次の表１に示す。
【００７３】
【表１】
2015171423.tif 000003
【００７４】
図４は、表１に示す経編包帯１の伸長率とパワーの関係を示したグラフである。グラフの横軸は伸長率［％］であり、グラフの縦軸はパワー［Ｎ］である。グラフ中のヒステリシス曲線は、ピーク点を境目として、上側の線が伸長曲線であり、下側の線が収縮曲線（回復曲線）である。前記ピーク点は、試験機による設定伸長率が最大となる測定点であり、経編包帯１の最大伸長率は、前記ピーク点よりも高い位置にある。図４より、本発明に係る経編包帯１は、キックバック性能に優れた経編生地となっていることがわかる。
【００７５】
表１と図４によれば、経編包帯１は、生地が伸長する際に、伸長率（長手方向の伸長率）が５０％のときのパワーが５．９５［Ｎ］であり、伸長率が１００％のときのパワーが１１．４８［Ｎ］であるから、伸長率を２倍とするために、必要なパワーが１．９３倍と小さい。また、伸長率（長手方向の伸長率）が５０％のときのパワーが５．９５［Ｎ］であり、伸長率が１５０％のときのパワーが１８．６３［Ｎ］であるから、伸長率を３倍とするのに対して、必要なパワーが３．１３倍で済んでいる。すなわち、生地が伸長する際に、伸長率が５０％のときのパワーをＮ１とし、伸長率が１５０％のときのパワーをＮ３としたときに、Ｎ３がＮ１の３．５倍未満となっている。そして、伸長率が５０％のときのパワーをＮ１とし、伸長率が１００％のときのパワーをＮ２としたときに、Ｎ２がＮ１の２倍未満となっている。
【００７６】
表１と図４によれば、経編包帯１は、生地が伸長してから収縮する際に、伸長率（長手方向の伸長率）が１００％のときのパワーが５．３３［Ｎ］であり、伸長率が５０％のときのパワーが３．４０［Ｎ］であるから、伸長率が１／２となる際のパワーが１．５７倍となり、１．５倍以上ある。また、伸長率が１５０％のときのパワーが８．３８［Ｎ］であり、伸長率が５０％のときのパワーが３．４０［Ｎ］であるから、伸長率が１／３となる際のパワーが約２．４６倍となり、２倍以上ある。生地が伸長してから収縮する際に、長手方向の伸長率が１５０％のときのパワーをＮ６とし、長手方向の伸長率が５０％のときのパワーをＮ４としたときに、Ｎ６がＮ４の２倍以上である。そして、長手方向の伸長率が１００％のときのパワーをＮ５とし、長手方向の伸長率が５０％のときのパワーをＮ４としたときに、Ｎ５がＮ４の１．５倍以上である。よって、本発明に係る経編包帯１は、キックバック性能に優れた経編生地といえる。
【００７７】
図５は、上記実施形態の経編包帯１において、幅寸法が１００ｍｍに編成された包帯を重ねたときの伸長率とパワーの関係を示すグラフ図である。グラフの横軸は伸長率［％］であり、グラフの縦軸はパワー［Ｎ］である。グラフ中のヒステリシス曲線は、ピーク点を境目として、上側の線が伸長曲線であり、下側の線が収縮曲線（回復曲線）である。図５に示す通り、例えば、伸長率１００％において、１枚（１重巻き）のときのパワーは約８．０［Ｎ］であり、２枚（２重巻き）のときのパワーは約１６．０［Ｎ］であり、３枚（３重巻き）のときのパワーは約２４．０［Ｎ］である。また例えば、伸長率１５０％において、１枚（１重巻き）のときのパワーは約１８．０［Ｎ］であり、２枚（２重巻き）のときのパワーは約３６．０［Ｎ］であり、３枚（３重巻き）のときのパワーは約５４．０［Ｎ］である。図５からも明らかなように、経編包帯１を重ねて巻くと、巻くときは少ないパワーで巻くことができ、経編包帯１の重なり枚数や重なり度合いに応じて大きなパワーで圧迫を与えることができる。そして、経編包帯１の重なり枚数や重なり度合いを調整することで、ふくらはぎに適正な圧迫を与えることができる。
【００７８】
（使用例１）
本実施形態の経編包帯１の使用例を図６を参照して以下に説明する。本使用例では、前記経編包帯１を、身体１００のふくらはぎに螺旋状に巻き上げる。
【００７９】
先ず足首の外側から巻き始める（図６（ａ））。巻き始める位置は、足首の外側のくるぶしの指３本上方が好ましい。図６（ａ）に示すように、足首の後ろ側から経編包帯１を通して、前側に巻いて行く。そして、１周目、２周目は足首の同じ位置で経編包帯１を転がしながら重ねる（図６（ｂ））。経編包帯１が肌に密着するように、経編包帯１の下側（足先側）に浮きやダブつきがでない程度の弱い力で少しだけ引っ張ることが好ましい（図６（ｂ））。次に、３周目は、２周目に対して半分重なるように上方へ移動させながら巻く（図６（ｃ））。筋肉のないエリアは経編包帯１を優しく巻く感覚で巻き付けることが好ましい。
【００８０】
次に、ふくらはぎに対しては、経編包帯１を引っ張り、そのままの状態でふくらはぎに押し当てるように巻く（図６（ｄ））。左脚に巻く場合は、膝裏から右手で経編包帯１を持って引っ張ると、張力を保ったままの状態でふくらはぎに巻き易くなり好ましい（図６（ｄ））。そして、ふくらはぎに巻いた後、肌に一度押さえてから反対の手に持ち替えて巻く（図６（ｅ））。そのまま、５周、６周と同じ要領で螺旋状に巻き上げる（図６（ｆ））。経編包帯１が幅の半分ずつが重なるように、少しずつ上方に巻き上げることが好ましい。
【００８１】
膝まで残り１０〜１５ｃｍほどになったら、経編包帯１の先（後端）をタテに山折りする（図６（ｇ））。このとき、経編包帯１が緩まないように空いている方の手で経編包帯１を上から軽く押さえる（図６（ｇ））。そして、山折りにした先（後端）を斜め上方向に引っ張る（図６（ｈ））。張力を保ちながら作業する。そのまま山折りにした先（後端）を巻いた経編包帯１の下に挟み込む（図６（ｉ））。張力を保ちながら挟み込む。山折りにした先（後端）が挟み込んだ包帯から少し頭がでるくらいの十分な長さで挟むと外れ難いので好ましい。最後にふくらはぎ全体を両手でまんべんなく握るようにして巻かれた経編包帯１全体の張力を均一にする。
【００８２】
図６に示す通り、経編包帯１をふくらはぎに巻いて、その後、肌のトリートメントのための化粧水を経編包帯１に含有させて、ミルキングアクションを行うとより効果的である。
本発明によれば、ふくらはぎから心臓に向けて血液が環流する静脈還流をより積極的に行うとともに、化粧水の有効成分が身体に摂取されることで、美脚効果とともにリラクゼーション効果が期待できる。
【００８３】
（使用例２）
本実施形態の経編包帯１の使用例を表２、図７及び図８を参照して以下に説明する。本使用例では、前記経編包帯１を、身体１００のふくらはぎに螺旋状に巻き上げて、ミルキングアクションを行った。ミルキングアクションは、両手で３０回、左右のふくらはぎを揉む作業を行った。
【００８４】
そして、市販の血圧計にて、血圧と心拍数を測定した。また、サーモグラフ測定機にて上半身の温度分布状態を観察した。結果を次の表２に示す。
【００８５】
【表２】
2015171423.tif 000004
【００８６】
表２から、通常（基準値）に対して、ミルキングアクションのみを行なった場合、血圧の上値（収縮期血圧）、及び血圧の下値（収縮期血圧）はいずれも数値の上昇が見られた。そして、本発明の経編包帯１をふくらはぎに巻いて、ミルキングアクションを行うことで、血圧の上値（収縮期血圧）、及び血圧の下値（収縮期血圧）は、さらに数値の上昇が見られた。このことから、本発明によれば、ミルキングアクションのみを行なった場合と比較して、さらに血液の循環を良くする効果があるといえる。そして、本発明の経編包帯１をふくらはぎに巻いて、ミルキングアクションを行うことを３回繰り返すと、血圧の上値（収縮期血圧）、血圧の下値（収縮期血圧）、及び心拍数は、いずれも元の数値（基準値）に近づきつつあり、血液の循環が良くなってリラックスした状態になっていることがわかる。
【００８７】
図７は、本発明の経編包帯１をふくらはぎに巻いて、ミルキングアクションを行ったときの効果をサーモグラフで示す図であり、図７（ａ）は通常状態であり、図７（ｂ）はミルキングアクションのみを行った比較例であり、図７（ｃ）は本発明の経編包帯１を巻いてミルキングアクションを行った実施例である。
図８は、本発明の経編包帯１をふくらはぎに巻いて、ミルキングアクションを行ったときの効果を写真で示す図であり、図８（ａ）は通常状態であり、図８（ｂ）はミルキングアクションのみを行った比較例であり、図８（ｃ）は本発明の経編包帯１を巻いてミルキングアクションを行った実施例である。
【００８８】
図７のサーモグラフから、本発明によれば、ミルキングアクションのみを行なった場合と比較して、さらに血液の循環が良くなり、上半身が温まっていることがわかる。
【００８９】
図８の写真から、本発明によれば、ミルキングアクションのみを行なった場合と比較して、さらに血液の循環が良くなり、足の血行が良くなって肌が明るい色になっていることがわかる。
【００９０】
そして本発明では、ミルキングアクションを行った後、リンパマッサージを行うことが好ましい。
本発明によれば、リンパ液の流れを活性化して人の身体にとって不必要な異物や老廃物を集め、排出するマッサージテクニックとしてのリンパマッサージ（リンパドレナージュ）を行うことで、血流改善によって身体が温まり、美脚効果とともに、より一層のリラクゼーション効果が期待できる。
【００９１】
本発明は、上述の実施形態に限定されるものではない。前記経編包帯１を、水溶性の薬液に浸して使用することもできる。
【００９２】
前記経編包帯１は、前記経糸２と挿入糸３とは同じ材質の糸でもよいし、異なる材質、径、色合いの糸とすることができる。前記挿入糸３と緯糸４との位置関係は実施例に限定されない。経編の編み方は、上述の実施例に限定されず、いわゆるシングル・デンピー、ヴァンダイク、シングル・コードが適用できる。このように、本発明は、その趣旨を逸脱しない範囲で適宜変更が可能であることはいうまでもない。
【符号の説明】
【００９３】
１                            本発明の経編包帯、
２                                経糸、
３                                挿入糸、
４                                緯糸、
１００                            身体（ふくらはぎ）
【図１】
2015171423.tif 000005
【図２】
2015171423.tif 000006
【図３】
2015171423.tif 000007
【図４】
2015171423.tif 000008
【図５】
2015171423.tif 000009
【図６】
2015171423.tif 000010
【図７】
2015171423.tif 000011
【図８】
2015171423.tif 000012